(57)【要約】【課題】プロテクター及びカバーの取付が正常に行われることを補助する。【解決手段】複数本の端子を有するガラスターミナルと、プロテクターと、プロテクターに組付け可能なカバーと、プロテクター及びカバーの間に配され、複数本の端子に取り付けられる端子カバーと、を有する圧縮機であって、端子カバーが一部の端子に取り付けられている場合にプロテクター及びカバーが組付けられようとすると、端子カバーに接触して組付けを阻害する異常報知突起又は異常報知壁を有する。【選択図】図６
2018184855.tif 000002
【特許請求の範囲】
【請求項１】
複数本の端子を有するガラスターミナルと、
プロテクターと、
該プロテクターに組付け可能なカバーと、
前記プロテクター及び前記カバーの間に配され、前記複数本の端子に取り付けられる端子カバーと、を有する圧縮機であって、
前記端子カバーが一部の端子に取り付けられている場合に前記プロテクター及び前記カバーが組付けられようとすると、前記端子カバーに接触して該組付けを阻害する異常報知突起又は異常報知壁を有することを特徴とする圧縮機。
【請求項２】
前記異常報知突起又は前記異常報知壁のうち、前記異常報知突起を有し、
前記カバー及び前記プロテクターが組付けられた瞬間に組付音が発せられることを特徴とする請求項１に記載の圧縮機。
【請求項３】
前記端子間のうち隣接する端子間の距離L1と、正常に取り付けられた前記端子カバーの外縁のうち、前記異常報知突起又は前記異常報知壁に対向する部分から該異常報知突起又は該異常報知壁までの距離L2とについて、関係式L2≦（２×L1）又はL2≦L1が成立していることを特徴とする請求項１又は２に記載の圧縮機。
【請求項４】
請求項１乃至３何れか一項に記載の圧縮機を搭載した機器。
【発明の詳細な説明】
【技術分野】
【０００１】
本発明は圧縮機及び圧縮機を搭載した機器に関する。
【背景技術】
【０００２】
圧縮機の電装品保護装置として、特許文献１が知られている。冷凍サイクル用圧縮機では、ＰＴＣ（起動リレー）や、加熱して所定温度となると電流を遮断するモータプロテクタなどの電装品１０７が設けられていて、これらの電装品１０７はごみよけや防火、防水、外部からの衝撃保護、感電防止などの目的で電装品カバー１０３により覆われている。電装品カバー１０３はブラケット１０２に挿入されて、取付けられる（段落００２７，００３３等）。
【先行技術文献】
【特許文献】
【０００３】
【特許文献１】特開２０１２−２３３４５４号公報
【発明の概要】
【発明が解決しようとする課題】
【０００４】
特許文献１の構成では、ブラケット１０２に電装品カバー１０３（プロテクター）を係止する組付作業などの製造工程において、挟持部１１３が挿入部１１２を挟み込み、爪部１２３が係止孔１０２ａに係止されたことで、電装品カバー１０３が完全に挿入されたことになる。組付に関わる挿入部１１２や係止孔１０２ａは、完全に挿入されているかに拘らず、カバー１０３に覆われているため、完全に挿入されたか否かを外観から判別することは容易にはできない。
【課題を解決するための手段】
【０００５】
上記事情に鑑みた本発明は、複数本の端子を有するガラスターミナルと、プロテクターと、該プロテクターに組付け可能なカバーと、前記プロテクター及び前記カバーの間に配され、前記複数本の端子に取り付けられる端子カバーと、を有する圧縮機であって、前記端子カバーが一部の端子に取り付けられている場合に前記プロテクター及び前記カバーが組付けられようとすると、前記端子カバーに接触して該組付けを阻害する異常報知突起又は異常報知壁を有することを特徴とする。
【図面の簡単な説明】
【０００６】
【図１】実施例１のカバーを圧縮機のプロテクターに組み付けする前の状態の斜視図
【図２】実施例１の（ａ）プロテクター、（ｂ）カバーを説明する斜視図
【図３】実施例１のカバーの正面図
【図４】実施例１のカバー、端子カバー、及びプロテクターの正常装着状態の分解斜視図
【図５】実施例１のカバー、端子カバー、及びプロテクターの異常装着状態の分解斜視図
【図６】実施例１のカバー正面図に正常位置の端子カバーを破線で重ねて描いた図
【図７】実施例１のカバー正面図に異常位置の端子カバーを破線で重ねて描いた図
【発明を実施するための形態】
【０００７】
本発明の実施例について添付の図面を用いて説明する。説明の便宜のため、互いに直交する上下、前後、及び左右方向という語を用いる。同様の構成要素には同様の符号を付し、同様の説明は繰り返さない。
【実施例１】
【０００８】
［プロテクター３］
図１はカバー４を圧縮機１のプロテクター３に組み付けする前の状態の斜視図（端子カバー２０不図示）、図２（a）はプロテクター３の斜視図である。ガラスターミナル２を正面から観察する場合の方向を前方向とする。
【０００９】
プロテクター３は、密閉型圧縮機１の電動要素を起動するためのターミナルの一例としてのガラスターミナル２の近傍に、溶接等により取付けられている。プロテクター３は、取付状態でガラスターミナル２周囲を囲む平坦な主面３ｚ、主面３ｚの上辺に繋がり後方向に延在する天板３ａ、主面３ｚの左右方向の一方（本実施例では右側）に位置し後方向に延在するガイド３ｃ、及び、主面３ｚの左右方向の他方（本実施例では左側）に位置し後方向に延在する対面ガイド３eを有する。
【００１０】
天板３ａは、上下方向に略垂直な面であり、第一の係止孔３ｂを備えている。天板３ａのうち、左右方向の一方側（本実施例では右側）が、左右方向の他方側に比して、より後側に広がった形状であり、この部分に第一の係止孔３ｂが設けられている。天板３ａは、例えば上方からの水滴侵入を抑制したり、カバー４を組み付ける際の位置決めに用いることができる。
【００１１】
ガイド３ｃは、左右方向に略垂直な面である。対面ガイド３ｅは、左右方向に略垂直な面であり、ガイド３ｃに対しては、左右方向について、主面３ｚを挟んで対向している。対面ガイド３eは、前端側に設けた第二の係止孔３ｆを備えている。なお、プロテクター３は、例えば金属で形成できる。
【００１２】
［カバー４］
図２（ｂ）はカバー４を説明する斜視図、図３は、カバー４の正面図である。
カバー４は、プロテクター３に組み付けた際に第一の係止孔３ｂに係合する第一のツメ４ｂ、ガイド３ｃが挿入される開口４ｃが設けられた右側面４ｄ、対面ガイド３eが挿入される開口４e、電源コード（不図示）を装着可能なコード取付部４ｈ、電源コードが取り付けられた端子カバー２０を押える端子押え部４ｊ、端子カバー２０が異常な位置にある場合に端子カバー２０のカバー４のプロテクター３への組付けを阻害する異常報知突起４ｔ、異常報知壁４０ｔ、及び、プロテクター３に組み付けた際に主面３ｚに対向する後面４ｚを備える。カバー４は、開口４ｃ，４eを形成するように、筒状の区画をそれぞれ有している。開口４eには、第二の係止孔３ｆに係止する第二のツメ４ｆが設けられている。カバー４は、弾性変形可能ないし可撓性のある材料、例えば合成樹脂で形成できる。
【００１３】
コード取付部４ｈは、カバー４の下方側に設けられている。カバー４の下端が上方に折れ曲がった曲がり部４ｈ１と、主面４ｚとの間の領域に電源コードを係止することで、電源コードの脱落を抑制できる。コード取付部４ｈは、カバー４の外側と連通するが、開口は下方を向いているため、水滴が浸入することを抑制できる。
【００１４】
端子押え部４ｊは、カバー４の取付時に、ガラスターミナル２に接続する端子カバー２０に接触又は近接可能な突起である。カバー４が樹脂製等である場合、カバー４取付時に作業者が主面４ｚを前方向に押すとカバー４が変形し、端子押え部４ｊが端子カバー２０に接触する。これにより、例えばガラスターミナル２に端子カバー２０が正常に取付けられていない場合に、作業者の押圧力によって取付を行うことができる。
【００１５】
異常報知突起４ｔは、端子押え部４ｊよりも出っ張った突起であり、ガラスターミナル２の一部分に端子カバー２０が取り付けられた状態で異常報知突起４ｔに接触する態様だと、カバー４がプロテクター３に装着することができない。具体的には、第一のツメ４ｂや第二のツメ４ｆが第一の係止孔３ｂや第二の係止孔３ｆに係止される位置まで挿入できない。
【００１６】
［プロテクター３とカバー４との装着］
図４は本実施例の端子カバー２０（端子カバー２０に取り付けられた電源コードは不図示）及びカバー４がプロテクター２に正常に取り付けられる際の分解斜視図である。端子カバー２０は、ガラスターミナル２の３本の端子に接続することで、端子カバー２０に取り付けられた電源コードから供給される電源を圧縮機１に供給する。
【００１７】
図５は本実施例の端子カバー２０が異常に取り付けられる際の分解斜視図である。端子カバー２０は、ガラスターミナル２の３本の端子のうち、２本以下の端子に接続している。この状態でカバー４がプロテクター３に組付けられると、圧縮機１を正常に駆動できない。
【００１８】
図６は本実施例の端子カバー２０が正常に取り付けられる際の端子カバー２０及びカバー４の位置関係を示す正面図である。端子カバー２０の外縁を破線で示している（端子も破線で示している。端子は破線で描かれた円形である。）。正常に取り付けられる場合、異常報知突起４ｔと端子カバー２０とは、正面視で重ならない。このため、異常報知突起４ｔが存在してもプロテクター３とカバー４とを支障なく組付けることができる。
【００１９】
また、ガラスターミナル２の端子間の距離と端子カバー２０外縁から異常報知突起４ｔまでの距離との関係を記載する。左右方向に注目すると、隣接する端子間の距離はそれぞれL1である。また、正常に取り付けられた端子カバー２０の外縁のうち、異常報知突起４ｔに対向する部分から異常報知突起４ｔまでの距離はL2である。そして、関係式L2≦（２×L1）又はL2≦L1が成立していると好ましい。この場合、端子カバー２０の取付が異常であると、端子カバー２０が異常報知突起４ｔに接触しやすくなる。
【００２０】
この関係は、異常報知壁４０ｔについても同様に成立すると好ましい。
【００２１】
図７は本実施例の端子カバー２０が異常に取り付けられる際の端子カバー２０及びカバー４の位置関係を示す正面図である。端子カバー２０の位置を破線で示している。異常に取り付けられる場合、例えば端子のうち１つにのみ端子カバー２０が接続した状態の場合、端子カバー２０と異常報知突起４ｔが正面視で重なる。これにより異常報知突起４ｔと端子カバー２０とが、プロテクター３及びカバー４の組付け過程で接触し、組付けを完了できない。これにより、組立者は端子カバー２０の取付状態が異常であることに気づくことができる。ここでいう「異常」とは、端子カバー２０が一部の端子にのみ取り付けられている状態を指す。
【００２２】
本実施例では、端子カバー２０が正常に取り付けられる位置（端子押え部４ｊの位置に相当）に対して、一方側に異常報知突起４ｔがあり、他方側に異常報知壁４０ｔがある。これにより、端子カバー２０が異常に取り付けられて出っ張った方向が一方型と他方側のどちら側であっても、組立者は気づくことができる。
【００２３】
本実施例では、異常報知として突起と壁とを用いているが、どちらか一種類でもよい。尤も、本実施例では、プロテクター３とカバー４との組付けをツメで行うようにしており、これらが組付けられると「パチン」という組付音が生じる。この音は、プロテクター３とカバー４とで囲まれる空間（異常報知突起４ｔ、端子押え部５ｊ、異常報知壁４０ｔが配されている空間）に響き渡ることで、組立者が知覚しやすくなる。したがって、空間内にはさほど物体を配さない方が、組立者が知覚し易くなるため、壁ではなく突起の方が好ましい。なお、ガラスターミナルの端子の本数は、複数本であればよく、３本に限られない。また、異常報知突起や異常報知壁は、カバー側ではなくプロテクター側に設けられていても良い。
【００２４】
本実施例の圧縮機は、冷蔵庫、空気調和器、その他種々の機器に適用できる。
【符号の説明】
【００２５】
１  密閉型圧縮機（圧縮機）
２  ガラスターミナル 
３  プロテクター
３ａ  天板
３ｂ  第一の係止孔
３ｃ  ガイド
３ｅ  対面ガイド
３ｆ  第二の係止孔
４  カバー
４ｂ  第一のツメ
４ｃ  開口
４ｄ  右側面
４ｅ  開口
４ｆ  第二のツメ
４ｊ  端子押え部
４ｔ  異常報知突起
４０ｔ  異常報知壁
２０  端子カバー
【図１】
2018184855.tif 000003
【図２】
2018184855.tif 000004
【図３】
2018184855.tif 000005
【図４】
2018184855.tif 000006
【図５】
2018184855.tif 000007
【図６】
2018184855.tif 000008
【図７】
2018184855.tif 000009